(57)【特許請求の範囲】
【請求項１】
無線信号を送受信するアンテナ部と前記アンテナ部の制御を行う信号処理部とが光伝送路を用いて接続されている通信システムであって、
前記アンテナ部及び前記信号処理部は、
前記無線信号をデジタル化した伝送データの量子化ビット数を削減する際の誤差を予測するための前記無線信号の平均電力及び分散に応じた予測係数を記憶する予測係数記憶部と、
無線帯域割当の変更周期毎に入力される無線帯域割当情報を基に前記無線信号の平均電力及び分散を算出し、算出結果に応じて前記予測係数記憶部から出力する予測係数を決定する予測係数出力制御部と、
前記予測係数記憶部の記憶する予測係数を用いて、前記伝送データの誤差信号を生成する誤差予測部と、
前記誤差予測部の生成した誤差信号を圧縮して前記光伝送路を伝送する誤差信号伝送部と、
前記誤差信号伝送部の伝送した誤差信号を伸長する伸長部と、
前記予測係数記憶部の記憶する予測係数を用いて、前記伸長部の伸長した誤差信号を復元する信号復元部と、
を備える通信システム。
【請求項２】
前記誤差信号伝送部は、エントロピー符号化を用いて誤差信号の圧縮を行うことを特徴とする、請求項１に記載の通信システム。
【請求項３】
前記信号処理部は、前記伝送データよりもデータ長の長い予測係数算出用データを用いて予測係数を算出する予測係数算出部を備え、
前記信号処理部の前記予測係数記憶部は、前記予測係数算出部の算出した予測係数を記憶し、
前記アンテナ部の前記予測係数記憶部は、前記信号処理部より前記予測係数が通知された際、これまで記憶していた予測係数を消去して該通知された予測係数を記憶することを特徴とする、請求項１又は２に記載の通信システム。
【請求項４】
無線信号を送受信するアンテナ部と前記アンテナ部の制御を行う信号処理部とが光伝送路を用いて接続されている通信システムの光信号伝送方法であって、
前記アンテナ部及び前記信号処理部において、
前記無線信号をデジタル化した伝送データの量子化ビット数を削減する際の誤差を予測するための前記無線信号の平均電力及び分散に応じた予測係数を記憶する予測係数記憶部を参照し、無線帯域割当の変更周期毎に入力される無線帯域割当情報を基に前記無線信号の平均電力及び分散を算出する予測係数出力制御部の算出結果に応じ、前記予測係数記憶部の記憶する予測係数を用いて、前記伝送データの誤差信号を生成する誤差予測手順と、
前記誤差予測手順で生成した誤差信号を圧縮して前記光伝送路を伝送する誤差信号伝送手順と、
を有する光信号伝送方法。
【請求項５】
無線信号を送受信するアンテナ部と前記アンテナ部の制御を行う信号処理部とが光伝送路を用いて接続されている通信システムの光信号伝送方法であって、
前記アンテナ部及び前記信号処理部において、
前記光伝送路を伝送された誤差信号を伸長する伸長手順と、
前記無線信号をデジタル化した伝送データの量子化ビット数を削減する際の誤差を予測するための前記無線信号の平均電力及び分散に応じた予測係数を記憶する予測係数記憶部を参照し、無線帯域割当の変更周期毎に入力される無線帯域割当情報を基に前記無線信号の平均電力及び分散を算出する予測係数出力制御部の算出結果に応じ、前記予測係数記憶部の記憶する予測係数を用いて、前記伸長手順で伸長した誤差信号を復元する信号復元手順と、
を有する光信号伝送方法。
【発明の詳細な説明】
【技術分野】
【０００１】
本発明は、ＢＢＵ−ＲＲＵ間で伝送されるデジタルＲｏＦ信号の圧縮技術に関する。
【背景技術】
【０００２】
セルラーシステムにおいて、セル構成の自由度を向上するため、基地局の機能を信号処理部（ＢＢＵ：Ｂａｓｅ  Ｂａｎｄ  Ｕｎｉｔ）とＲＦ部（ＲＲＵ：Ｒｅｍｏｔｅ  Ｒａｄｉｏ  Ｕｎｉｔ）に分割して物理的に離れた構成とする事が検討されている。この時ＢＢＵ−ＲＲＵ間において無線信号はＲｏＦ技術により伝送される。ＲｏＦ技術は光伝送方法によりアナログＲｏＦ技術とデジタルＲｏＦ技術に大別できるが、近年は伝送品質に優れたデジタルＲｏＦ技術の検討が盛んであり、ＣＰＲＩ（Ｃｏｍｍｏｎ  Ｐｕｂｌｉｃ  Ｒａｄｉｏ  Ｉｎｔｅｒｆａｃｅ）（例えば、非特許文献１参照。）等の標準化団体の下、使用策定が進められている。またＢＢＵ−ＲＲＵ間の接続媒体として、同軸ケーブルや光ファイバ等が用いられるが、特に光ファイバによって接続する事により、伝送距離を拡大する事ができる。
【０００３】
一つのＢＢＵが複数のＲＲＵを収容する事もできる。これにより、各ＲＲＵに必要なＢＢＵを一つに集約する事ができ、運用コスト及び設置コストを削減することが可能となる。このような形態の一例として、ＢＢＵ−ＲＲＵ間をＰＯＮ（Ｐａｓｓｉｖｅ  Ｏｐｔｉｃａｌ  Ｎｅｔｗｏｒｋ）システムで接続する形態が提案されている。ＰＯＮの信号多重方法としては、ＴＤＭ（Ｔｉｍｅ  Ｄｉｖｉｓｉｏｎ  Ｍｕｌｔｉｐｌｅｘ）、ＷＤＭ（Ｗａｖｅｌｅｎｇｔｈ  Ｄｉｖｉｓｉｏｎ  Ｍｕｌｔｉｐｌｅｘ）、ＦＤＭ（Ｆｒｅｑｕｅｎｃｙ  Ｄｉｖｉｓｉｏｎ  Ｍｕｌｔｉｐｌｅｘ）等が選択できる。
【０００４】
以後、ＢＢＵ−ＲＲＵ間のデジタルＲｏＦ伝送技術を関連技術と呼ぶ。また、ＢＢＵで作成した無線信号のＩ軸Ｑ軸ごとのデジタル信号（ＩＱデータ）を光信号に変換してＲＲＵへ伝送し、ＲＲＵで受信した光信号を無線信号に変換して、無線端末へと送信するリンクを下りリンクと呼ぶ。一方、無線端末が送信した無線信号をＲＲＵで受信し、受信した無線信号を光信号に変換してＢＢＵへ伝送し、ＢＢＵで受信した光信号をＩＱデータに変換して信号の復調を行うリンクを上りリンクと呼ぶ。
【０００５】
本発明に関連するＲＲＵの装置構成例を図７に示す。ＲＲＵ９１は上りリンクの信号処理のため、無線信号の送／受信を行うアンテナ１１と、送信／受信を切り替える送受切替部１２と、受信した無線信号の信号電力を信号処理ができるレベルまで増幅する増幅器１３と、無線信号をベースバンドにダウンコンバートするダウンコンバート部１４と、ダウンコンバートされたアナログ信号をＩＱデータに変換するＡ／Ｄ変換部１５と、ＩＱデータに対してフィルタリング処理を行うベースバンドフィルタ部（上り）１６と、ＩＱデータとＢＢＵ９３−ＲＲＵ９１間の制御信号を多重するフレーム変換部１７と、電気信号を光信号に変換して送信する電気−光（Ｅ／Ｏ）変換部１８を有する。送受切替部１２は、ＦＤＤ（Ｆｒｅｑｕｅｎｃｙ  Ｄｉｖｉｓｉｏｎ  Ｄｕｐｌｅｘ）と、ＴＤＤ（Ｔｉｍｅ  Ｄｉｖｉｓｉｏｎ  Ｄｕｐｌｅｘ）のどちらにも対応できる。
【０００６】
またＲＲＵ９１は下りリンクの信号処理のため、ＢＢＵ９３から受信した光信号を電気信号に変換する光−電気（Ｏ／Ｅ）変換部２８と、受信信号からＢＢＵ９３−ＲＲＵ９１間の制御信号及びＩＱデータを取り出すフレーム変換部２７と、ＩＱデータに対してフィルタリング処理を行うベースバンドフィルタ部（下り）２６と、ＩＱデータをアナログ信号に変換するＤ／Ａ変換部２５と、アナログ信号をアップコンバートするアップコンバート部２４と、電力を決められた送信電力まで増幅する増幅器２３と、送受切替部１２と、アンテナ１１を有する。
【０００７】
本発明に関連するＢＢＵの装置構成例を図８に示す。ＢＢＵ９３は上りリンクの信号処理のため、光信号を電気信号に変換するＯ／Ｅ変換部３１と、受信信号から制御信号及びＩＱデータを取り出すフレーム変換部３２と、ＩＱデータに対して復調を行う変復調部３３を有する。またＢＢＵ９３は下りリンクの信号処理のため、無線信号のＩＱデータを出力する変復調部３３と、ＩＱデータと制御信号を多重するフレーム変換部３４と、電気信号を光信号に変換して送信するＥ／Ｏ変換部３５を有する。
【０００８】
ＣＰＲＩでＬＴＥ（Ｌｏｎｇ  Ｔｅｒｍ  Ｅｖｏｌｕｔｉｏｎ）信号を伝送する場合を例に取ると、システム帯域幅２０ＭＨｚのシステムに対しては３０．７２ＭＨｚのサンプリング周波数が用いられ、またＩ軸とＱ軸のそれぞれに対するデジタルサンプリングにおいて上り信号は４〜２０ビット、下り信号は８〜２０ビットの量子化ビット数が適用される。またフレーム変換部３４ではフレーム全体の１／１６に制御信号が挿入され、さらに信号は８Ｂ／１０Ｂ符号化した後に伝送される。したがって、デジタルＲｏＦ伝送のためには光ファイバ区間で非常に広帯域が必要となる。
【０００９】
デジタルＲｏＦ伝送の所要帯域を削減する手法として、予測符号化を用いて量子化ビット数を削減する手法がある。該手法では、無線信号の数サンプル点から次サンプル点の振幅値を予測する。図９に、予測の動作例を示す。図９では、過去３サンプル点から次サンプル点を予測している。予測手法の一つである線形予測法では、過去の数サンプル点にそれぞれ係数を乗算して加算した値を予測値とする。この時の係数を、以後予測係数と呼ぶ。予測係数は、実際のサンプル点の値と予測値の差である誤差信号が小さくなるよう設定される。予測の精度が高いほど、誤差信号の振幅値はほとんど０に近くなる。
【００１０】
図１０に、誤差信号の確率密度関数の一例を示す。図１０では、ＬＴＥ  ＰＨＹ層のパラメータに基づくＯＦＤＭ無線信号に対して、過去３２サンプル点で次サンプル値を予測している。予測係数は、５１２サンプル点ごとに誤差信号のユークリッドノルムが最小となるよう決定した。図１０より、誤差信号の振幅値は０付近ほど確率密度が高いとわかる。そこで、この誤差信号をハフマン符号化などのエントロピー符号化により符号化すれば、出現確率の高い振幅値ほど少ないビット数で伝送できるため、デジタルＲｏＦ伝送の所要帯域を減少できる。
【００１１】
予測係数は、ある長さのサンプル点に対して誤差が小さくなるよう算出される。以後、このサンプル点の一まとまりを予測ブロックと呼ぶ。
【先行技術文献】
【非特許文献】
【００１２】
【非特許文献１】ＣＰＲＩ，“ＣＰＲＩ  Ｓｐｅｃｉｆｉｃａｔｉｏｎ  Ｖ５．０”，Ｓｅｐ．，２０１１，ｈｔｔｐ：／／ｗｗｗ．ｃｐｒｉ．ｉｎｆｏ／ｓｐｅｃ．ｈｔｍｌ
【発明の概要】
【発明が解決しようとする課題】
【００１３】
関連する誤差信号を予測する方式では、予測ブロックごとに送信側から受信側へ予測係数を伝送する必要があるため、伝送効率の低下につながっていた。また、送信したいＩＱデータに対して、該ＩＱデータの誤差信号の平均振幅値または平均電力値が小さくなるよう予測係数を作成して誤差信号を算出して、該誤差信号を圧縮して伝送する。このため、予測ブロックが貯まるまでのバッファリング時間と、予測係数の算出に要する時間が、ＢＢＵ９３−ＲＲＵ９１間の伝送における遅延となる。予測ブロックの長さを減らすことで遅延時間を減少できるが、予測ブロックごとに送信側から受信側へ予測係数を伝送する必要があるため、伝送効率の低下につながる。
【００１４】
本発明は、ＢＢＵ−ＲＲＵ間で伝送されるデジタルＲｏＦ信号の量子化ビット数を、予測符号化を用いて削減するに際し、伝送効率低下を抑制することを目的とする。
【課題を解決するための手段】
【００１５】
上記目的を達成するために、本発明は、送信したいＩＱデータとは別のデータを用いて予測係数を算出しておき、該ＩＱデータを誤差予測する際の予測係数として用いる。
【００１６】
具体的には、本発明に係る通信システムは、
無線信号を送受信するアンテナ部と前記アンテナ部の制御を行う信号処理部とが光伝送路を用いて接続されている通信システムであって、
前記アンテナ部及び前記信号処理部は、前記無線信号をデジタル化した伝送データの量子化ビット数を削減する際の誤差を予測するための前記無線信号の平均電力及び分散に応じた予測係数を記憶する予測係数記憶部と、
無線帯域割当の変更周期毎に入力される無線帯域割当情報を基に前記無線信号の平均電力及び分散を算出し、算出結果に応じて前記予測係数記憶部から出力する予測係数を決定する予測係数出力制御部と、
前記予測係数記憶部の記憶する予測係数を用いて、前記伝送データの誤差信号を生成する誤差予測部と、
前記誤差予測部の生成した誤差信号を圧縮して前記光伝送路を伝送する誤差信号伝送部と、
前記誤差信号伝送部の伝送した誤差信号を伸長する伸長部と、
前記予測係数記憶部の記憶する予測係数を用いて、前記伸長部の伸長した誤差信号を復元する信号復元部と、
を備える。
【００１７】
本発明に係る通信システムでは、前記誤差信号伝送部は、エントロピー符号化を用いて誤差信号の圧縮を行ってもよい。
【００１９】
本発明に係る通信システムでは、前記信号処理部は、前記伝送データよりもデータ長の長い予測係数算出用データを用いて予測係数を算出する予測係数算出部を備え、前記信号処理部の前記予測係数記憶部は、前記予測係数算出部の算出した予測係数を記憶し、前記アンテナ部の前記予測係数記憶部は、前記信号処理部より前記予測係数が通知された際、これまで記憶していた予測係数を消去して該通知された予測係数を記憶していてもよい。
【００２０】
本発明に係る通信システムでは、前記アンテナ部及び前記信号処理部は、過去にシステム内で伝送されたデータを前記予測係数算出用データとして用いて前記予測係数を算出する予測係数決定部を備え、
前記予測係数記憶部は、前記予測係数決定部の算出した予測係数を記憶していてもよい。
【００２１】
具体的には、本発明に係る光信号伝送方法は、
無線信号を送受信するアンテナ部と前記アンテナ部の制御を行う信号処理部とが光伝送路を用いて接続されている通信システムの光信号伝送方法であって、
前記アンテナ部及び前記信号処理部において、
前記無線信号をデジタル化した伝送データの量子化ビット数を削減する際の誤差を予測するための前記無線信号の平均電力及び分散に応じた予測係数を記憶する予測係数記憶部を参照し、無線帯域割当の変更周期毎に入力される無線帯域割当情報を基に前記無線信号の平均電力及び分散を算出する予測係数出力制御部の算出結果に応じ、前記予測係数記憶部の記憶する予測係数を用いて、前記伝送データの誤差信号を生成する誤差予測手順と、
前記誤差予測手順で生成した誤差信号を圧縮して前記光伝送路を伝送する誤差信号伝送手順と、
を有する。
【００２２】
具体的には、本発明に係る光信号伝送方法は、
無線信号を送受信するアンテナ部と前記アンテナ部の制御を行う信号処理部とが光伝送路を用いて接続されている通信システムの光信号伝送方法であって、
前記アンテナ部及び前記信号処理部において、
前記光伝送路を伝送された誤差信号を伸長する伸長手順と、
前記無線信号をデジタル化した伝送データの量子化ビット数を削減する際の誤差を予測するための前記無線信号の平均電力及び分散に応じた予測係数を記憶する予測係数記憶部を参照し、無線帯域割当の変更周期毎に入力される無線帯域割当情報を基に前記無線信号の平均電力及び分散を算出する予測係数出力制御部の算出結果に応じ、前記予測係数記憶部の記憶する予測係数を用いて、前記伸長手順で伸長した誤差信号を復元する信号復元手順と、
を有する。
【００２３】
なお、上記各発明は、可能な限り組み合わせることができる。
【発明の効果】
【００２４】
本発明によれば、送信したいＩＱデータとは別のデータを用いて予測係数を算出しておき、該ＩＱデータを誤差予測する際の予測係数として用いる。これにより、本発明は、ＩＱデータを送信する際、予測ブロックを貯めるバッファリング時間と、予測係数の算出に要する時間を省き、遅延時間を低減することができる。
【図面の簡単な説明】
【００２５】
【図１】実施形態１のＲＲＵの装置構成例を示す。
【図２】実施形態１のＢＢＵの装置構成例を示す。
【図３】実施形態２のＲＲＵの装置構成例を示す。
【図４】実施形態２のＢＢＵの装置構成例を示す。
【図５】実施形態３のＲＲＵの装置構成例を示す。
【図６】実施形態３のＢＢＵの装置構成例を示す。
【図７】関連する発明のＲＲＵの装置構成例を示す。
【図８】関連する発明のＢＢＵの装置構成例を示す。
【図９】予測の動作例を示す。
【図１０】誤差信号の確率密度関数の一例を示す。
【発明を実施するための形態】
【００２６】
添付の図面を参照して本発明の実施形態を説明する。以下に説明する実施形態は本発明の実施の例であり、本発明は、以下の実施形態に制限されるものではない。なお、本明細書及び図面において符号が同じ構成要素は、相互に同一のものを示すものとする。
【００２７】
（実施形態１）
実施形態１のＲＲＵ９１の装置構成例を図１に示す。ＲＲＵ９１は、下りリンクの信号処理のため、関連技術と異なり、圧縮された信号を元に戻す伸長部４１と、誤差信号から元の信号を復元する信号復元部４２と、予測係数を記憶する予測係数記憶部（下り）４４と、予測係数記憶部４４から出力する予測係数を指定する予測係数出力制御部（下り）４３を有する。ＲＲＵ９１は、上りリンクの信号処理のため、関連技術と異なり、信号の誤差信号を作成する誤差予測部４７と、誤差予測部４７の出力する誤差信号を圧縮する圧縮部４８と、予測係数を記憶する予測係数記憶部（上り）４６と、予測係数記憶部４６から出力する予測係数を指定する予測係数出力制御部（上り）４５を有する。圧縮部４８は、エントロピー符号化等の動作によりビット数を減らし、デジタルＲｏＦ伝送の所要帯域を削減する。エントロピー符号化とは、複数ビットをまとめたシンボル単位で入力ビット系列を処理し、シンボル毎の出現確率を調べ、出現確率の高いシンボルほど短いビット系列になるように変換することで、出力ビット系列の長さを入力ビット系列の長さより短くする符号化方法である。エントロピー符号化を行うためには、予め誤差信号の振幅値の分布関数を計測しておく必要がある。
【００２８】
実施形態１のＢＢＵ９３の装置構成例を図２に示す。ＢＢＵ９３は、下りリンクの信号処理のため、関連技術と異なり、信号の誤差信号を作成する誤差予測部５７と、誤差予測部５７の出力する誤差信号を圧縮する圧縮部５８と、予測係数を記憶する予測係数記憶部（下り）５６と、予測係数記憶部５６から出力する予測係数を指定する予測係数出力制御部（下り）５５を有する。ＢＢＵ９３は、上りリンクの信号処理のため、関連技術と異なり、圧縮された信号を元に戻す伸長部５３と、誤差信号から元の信号を復元する信号復元部５４と、予測係数を記憶する予測係数記憶部（上り）５１と、予測係数記憶部５１から出力する予測係数を指定する予測係数出力制御部（上り）５２を有する。
【００２９】
ＲＲＵ９１はアンテナ部として機能し、ＢＢＵ９３は信号処理部として機能する。予測係数記憶部４４及び４６が、ＲＲＵ９１における予測係数記憶部として機能する。予測係数記憶部５６及び５１が、ＢＢＵ９３における予測係数記憶部として機能する。下りリンクにおいては、圧縮部５８、フレーム変換部３４、Ｅ／Ｏ変換部３５、Ｏ／Ｅ変換部２８及びフレーム変換部２７が誤差信号伝送部として機能する。上りリンクにおいては、圧縮部４８、フレーム変換部１７、Ｅ／Ｏ変換部１８、Ｏ／Ｅ変換部３１及びフレーム変換部３２が誤差信号伝送部として機能する。
【００３０】
本実施形態に係る光信号伝送方法は、下りリンクの信号処理のときに、ＢＢＵ９３が誤差予測手順及び誤差信号伝送手順を実行した後、にＲＲＵ９１が伸長手順及び信号復元手順を実行する。
誤差予測手順では、誤差予測部５７が、予測係数記憶部５６の記憶する予測係数を用いて、伝送するＩＱデータの誤差信号を生成する。
誤差信号伝送手順では、誤差予測部５７で生成した誤差信号を圧縮部５８が圧縮し、Ｅ／Ｏ変換部３５が光ファイバへ送信する。
伸長手順では、伸長部４１が、光ファイバを伝送された誤差信号を伸長する。
信号復元手順では、信号復元部４２が、予測係数記憶部４４の記憶する予測係数を用いて、伸長部４１で伸長した誤差信号を復元する。
【００３１】
本実施形態に係る光信号伝送方法は、上りリンクの信号処理のときに、ＲＲＵ９１が誤差予測手順及び誤差信号伝送手順を実行した後に、ＢＢＵ９３が伸長手順及び信号復元手順を実行する。
誤差予測手順では、誤差予測部４７が、予測係数記憶部４６を参照し、予測係数記憶部４６の記憶する予測係数を用いて、伝送するＩＱデータの誤差信号を生成する。
誤差信号伝送手順では、誤差予測部４７で生成した誤差信号を圧縮部４８が圧縮し、Ｅ／Ｏ変換部１８が光ファイバへ送信する。
伸長手順では、伸長部５３が光ファイバを伝送された誤差信号を伸長する。
信号復元手順では、信号復元部５４が、予測係数記憶部５１の記憶する予測係数を用いて、伸長部５３で伸長した誤差信号を復元する。
【００３２】
予測係数記憶部４４、４６、５１及び５６の記憶する予測係数の値は、予め与えておいても良い。また、定期的に変更しても良い。定期的に変更する際は、予測係数をＢＢＵ９３側から送信しても良い。この場合、ＢＢＵ９３は、予測係数を算出する予測係数算出部を備える。また、一つだけでなく複数の予測係数を記憶しても良い。予測係数出力制御部４３、４５、５２及び５５の指定する予測係数は、常に同じでも良いし、定期的に変更されても良い。定期的に変更するためには、変更タイミングをＢＢＵ９３からＲＲＵ９１へ通知するか、またはＢＢＵ９３−ＲＲＵ９１間で同期を取り各々の変更タイミングが揃うようにする必要がある。
【００３３】
予測係数出力制御部４３、４５、５２及び５５に外部情報を入力しても良い。例えば、無線帯域割当情報を入力する。無線帯域割当の変更周期毎に、無線信号で使用されている周波数位置及び周波数帯域幅が変わり、無線信号の平均電力や分散等の特性が変化する。このため、無線帯域割当の周期毎に、割り当てられている周波数位置及び周波数帯域幅に応じて予測係数を変えることで、誤差信号の振幅値を低減できると考えられる。
【００３４】
予測係数は、送信したいＩＱデータとは別のデータを用いて作成する。この際用いる別のデータのデータ長を長くするほど、予測ブロック長が長くなるため、予測の精度が向上する。
【００３５】
本実施形態に係る発明では、送信したいＩＱデータとは別のデータを用いて予測係数を算出しておき、該ＩＱデータを誤差予測する際の予測係数として用いる。これにより、ＩＱデータを送信する際、予測ブロックを貯めるバッファリング時間と、予測係数の算出に要する時間を省き、遅延時間を低減する。また、本実施形態に係る発明は、一つの予測係数を固定的に使う。これにより、ＢＢＵ９３−ＲＲＵ９１間での予測係数の交換を省き、伝送効率低下を抑制することができる。
【００３６】
（実施形態２）
実施形態１では、予測係数を予めＢＢＵ９３及びＲＲＵ９１で記憶しておく必要がある。実施形態２では、ＢＢＵ９３−ＲＲＵ９１間で送受信された、過去のＩＱデータを基に予測係数を算出して利用することにより、予測係数を予めＢＢＵ９３及びＲＲＵ９１で記憶しておく必要を省く。
【００３７】
実施形態２のＲＲＵ９１の装置構成例を図３に示す。ＲＲＵ９１は、下りリンクの信号処理のため、関連技術と異なり、圧縮された信号を元に戻す伸長部４１と、誤差信号から元の信号を復元する信号復元部４２と、これまでに得られたＩＱデータを基に予測係数を算出する予測係数決定部（下り）６２を有する。ＲＲＵ９１は、上りリンクの信号処理のため、関連技術と異なり、信号の誤差信号を作成する誤差予測部４７と、誤差予測部４７の出力する誤差信号を圧縮する圧縮部４８と、ベースバンドフィルタ部（上り）１６の出力するＩＱデータを基に予測係数を算出する予測係数決定部（上り）６１を有する。任意の時点において予測係数決定部（上り）６１で用いられるＩＱデータは、同時点において誤差予測部４７に入力されたＩＱデータよりも過去の時点のＩＱデータである。
【００３８】
実施形態２のＢＢＵ９３の装置構成例を図４に示す。ＢＢＵ９３は、下りリンクの信号処理のため、関連技術と異なり、信号の誤差信号を作成する誤差予測部５７と、誤差予測部５７の出力する誤差信号を圧縮する圧縮部５８と、ＩＱデータを基に予測係数を算出する予測係数決定部（下り）６４を有する。任意の時点において予測係数決定部（下り）６４で用いられるＩＱデータは、同時点において誤差予測部５７に入力されたＩＱデータよりも過去の時点のＩＱデータである。ＢＢＵ９３は、上りリンクの信号処理のため、関連技術と異なり、圧縮された信号を元に戻す伸長部５３と、誤差信号から元の信号を復元する信号復元部５４と、これまでに得られたＩＱデータを基に予測係数を算出する予測係数決定部（上り）６３を有する。
【００３９】
予測係数決定部（上り）６１及び予測係数決定部（下り）６２は、算出した予測係数を記憶し、ＲＲＵ９１における予測係数記憶部として機能する。予測係数決定部（上り）６３及び予測係数決定部（下り）６４は、算出した予測係数を記憶し、ＢＢＵ９３における予測係数記憶部として機能する。
【００４０】
以上説明したように、本実施形態に係る発明は、受信側で予測係数を算出する。このため、ＢＢＵ９３−ＲＲＵ９１間での予測係数の交換を省き、伝送効率低下を抑制することができる。
【００４１】
（実施形態３）
実施形態３では、実施形態２で算出した予測係数を記憶して固定的に用いることで、予測係数算出に要する演算量を削減する。
【００４２】
実施形態３のＲＲＵ９１の装置構成例を図５に示す。ＲＲＵ９１は、下りリンクの信号処理のため、実施形態２と異なり、予測係数決定部（下り）６２で算出された予測係数を記憶する予測係数記憶部（下り）７２を有する。ＲＲＵ９１は、上りリンクの信号処理のため、実施形態２と異なり、予測係数決定部（上り）６１で算出された予測係数を記憶する予測係数記憶部（上り）７１を有する。
【００４３】
実施形態３のＢＢＵ９３の装置構成例を図６に示す。ＢＢＵ９３は、下りリンクの信号処理のため、実施形態２と異なり、予測係数決定部（下り）６４で算出された予測係数を記憶する予測係数記憶部（下り）７４を有する。ＢＢＵ９３は、上りリンクの信号処理のため、実施形態２と異なり、予測係数決定部（上り）６３で算出された予測係数を記憶する予測係数記憶部（上り）７３有する。
【００４４】
予測係数決定部６１、６２、６３及び６４で予測係数を算出する頻度は、任意の値に設定することができる。該頻度を、無線帯域割当の周期ごととしても良い。
【００４５】
以上説明したように、本実施形態に係る発明は、受信側で予測係数を算出し、算出した予測係数を用いる。このため、ＢＢＵ９３−ＲＲＵ９１間での予測係数の交換を省き、伝送効率低下を抑制することができる。
【産業上の利用可能性】
【００４６】
本発明は情報通信産業に適用することができる。
【符号の説明】
【００４７】
１１：アンテナ
１２：送受切替部
１３：増幅部
１４：ダウンコンバート部
１５：Ａ／Ｄ変換部
１６：ベースバンドフィルタ部（上り）
１７：フレーム変換部
１８：電気−光（Ｅ／Ｏ）変換部
２３：増幅器
２４：アップコンバート部
２５：Ｄ／Ａ変換部
２６：ベースバンドフィルタ部（下り）
２７：フレーム変換部
２８：光−電気（Ｏ／Ｅ）変換部
３１：Ｏ／Ｅ変換部
３２：フレーム変換部
３３：変復調部
３４：フレーム変換部
３５：Ｅ／Ｏ変換部
４１：伸長部
４２：信号復元部
４３：予測係数出力制御部（下り）
４４：予測係数記憶部（下り）
４５：予測係数出力制御部（上り）
４６：予測係数記憶部
４７：誤差予測部
４８：圧縮部
５１：予測係数記憶部（上り）
５２：予測係数出力制御部（上り）
５３：伸長部
５４：信号復元部
５５：予測係数出力制御部（下り）
５６：予測係数記憶部（下り）
５７：誤差予測部
５８：圧縮部
６１：予測係数決定部（上り）
６２：予測係数決定部（下り）
６３：予測係数決定部（上り）
６４：予測係数決定部（下り）
７１：予測係数記憶部（上り）
７２：予測係数記憶部（下り）
７３：予測係数記憶部（上り）
７４：予測係数記憶部（下り）
９１：ＲＲＵ
９３：ＢＢＵ
【図１】
0006043260.tif 000002
【図２】
0006043260.tif 000003
【図３】
0006043260.tif 000004
【図４】
0006043260.tif 000005
【図５】
0006043260.tif 000006
【図６】
0006043260.tif 000007
【図７】
0006043260.tif 000008
【図８】
0006043260.tif 000009
【図９】
0006043260.tif 000010
【図１０】
0006043260.tif 000011